(57)【要約】      （修正有）【課題】複数の接続端子が同一平面上に設定され、挿入されるメモリーカードの種類に応じて第１のスライド部材又は第２のスライド部材が移動されることにより、所定の接続端子のみを接続させ、メモリーカードコネクタの薄型化・小型化を図る。【解決手段】２種類のメモリーカードのカード収納部３０を有するコネクタ筐体と、第１及び第２のスライド部材２３，２４と、複数の接続端子と、端子切換板２５と、を設ける。第１のスライド部材２３は、第１のメモリーカードを案内し、第２のスライド部材２４は、第２のメモリーカードを案内して、カード収納部に出し入れさせる。複数の接続端子は、カード収納部内に配置されて複数の種類のメモリーカードの複数の端子接点部と接続可能とされている。メモリーカードの種類に応じて端子切換板を移動させることにより、所定の接続端子のみをメモリーカードの複数の端子接続部に接続可能とした。【選択図】図１
2010044926.tif 000002
【特許請求の範囲】
【請求項１】
複数の種類のメモリーカードが出し入れされるカード収納部を有するコネクタ筐体と、
前記メモリーカードが出し入れされる方向に移動可能とされて前記カード収納部内に配置されると共に、前記複数の種類のメモリーカードのうち第１のメモリーカードを案内して当該カード収納部に出し入れさせる第１のスライド部材と、
前記メモリーカードが出し入れされる方向に移動可能とされて前記カード収納部内に配置されると共に、前記複数の種類のメモリーカードのうち第２のメモリーカードを案内して当該カード収納部に出し入れさせる第２のスライド部材と、
前記カード収納部内に配置されて前記複数の種類のメモリーカードの複数の端子接点部と接続可能とされた複数の接続端子と、
前記複数の接続端子を選択して突出可能な複数の端子用穴を有する端子切換板と、を設け、
前記カード収納部に挿入される前記メモリーカードの種類に応じて前記端子切換板を移動させることにより、前記複数の接続端子のうち所定の接続端子のみを当該メモリーカードの複数の端子接続部に接続可能とした
メモリーカードコネクタ。
【請求項２】
前記端子切換板は、前記第１のスライド部材又は前記第２のスライド部材に固定して設け、
前記第１のスライド部材又は前記第２のスライド部材の前記移動によって前記端子切換板を前記メモリーカードが出し入れされる方向に移動させ、前記カード収納部に挿入される前記メモリーカードの種類に応じて、前記複数の端子用穴のうち対応する端子用穴から所定の接続端子を選択的に突出させるようにした
請求項１記載のメモリーカードコネクタ。
【請求項３】
前記コネクタ筐体に、前記カード収納部内に突出するカード支持部を有するガイド部材と、
前記ガイド部材を前記カード収納部側に付勢する付勢部材と、を設け、
前記カード支持部は、前記複数の種類のメモリーカードのうち、幅及び厚さが小さい小型のメモリーカードが前記カード収納部に挿入されるときには前記突出した状態を保持して当該小型のメモリーカードを案内して小型のメモリーカードの挿入を許容し、幅及び厚さが前記小型のメモリーカードよりも大きい大型のメモリーカードが前記カード収納部に挿入されるときには当該大型のメモリーカードの移動軌跡上から後退して大型のメモリーカードの挿入を許容するようにした
請求項１記載のメモリーカードコネクタ。
【請求項４】
前記ガイド部材は、前記第１のスライド部材又は前記第２のスライド部材に着脱可能に係合されて当該第１のスライド部材又は第２のスライド部材の移動を阻止するロック部を有し、
前記カード支持部の前記後退時に前記ロック部によるロックを解除して前記第１のスライド部材又は前記第２のスライド部材の移動を許容するようにした、
請求項３記載のメモリーカードコネクタ。
【請求項５】
複数の種類のメモリーカードが着脱自在に装着されるメモリーカードコネクタを備えた電子機器であって、
前記メモリーカードコネクタは、
複数の種類のメモリーカードが出し入れされるカード収納部を有するコネクタ筐体と、
前記メモリーカードが出し入れされる方向に移動可能とされて前記カード収納部内に配置されると共に、前記複数の種類のメモリーカードのうち第１のメモリーカードを案内して当該カード収納部に出し入れさせる第１のスライド部材と、
前記メモリーカードが出し入れされる方向に移動可能とされて前記カード収納部内に配置されると共に、前記複数の種類のメモリーカードのうち第２のメモリーカードを案内して当該カード収納部に出し入れさせる第２のスライド部材と、
前記カード収納部内に配置されて前記複数の種類のメモリーカードの複数の端子接点部と接続可能とされた複数の接続端子と、
前記複数の接続端子を選択して突出可能な複数の端子用穴を有する端子切換板と、を設け、
前記カード収納部に挿入される前記メモリーカードの種類に応じて前記端子切換板を移動させることにより、前記複数の接続端子のうち所定の接続端子のみを当該メモリーカードの複数の端子接点部に接続可能とした
電子機器。
【発明の詳細な説明】
【技術分野】
【０００１】
本発明は、複数の種類のメモリーカードを選択的に装着して使用することができるメモリーカードコネクタ、及び、そのメモリーカードコネクタを備えた電子機器に関する。
【背景技術】
【０００２】
近年、パーソナルコンピュータ、ＰＤＡ(Personal Digital Assistant)、携帯電話機、ゲーム機、デジタルビデオカメラ、オーディオ装置、カーナビゲーション等の様々な電子機器においては、メモリーカードを使用するメモリーカードコネクタが用いられている。メモリーカードにはＩＣチップと呼ばれるＩＣ部品が組み込まれており、例えば、ＳＩＭカード（登録商標）、ＳＤカード（登録商標）、スマートメディア（登録商標）、メモリースティックＤｕｏカード（登録商標）等を上げることができる。
【０００３】
これらのメモリーカードは、それぞれが独自の規格によって作られており、その長さや幅、或いは厚さ等において独自の寸法を有している。例えば、上述したＳＤカード（登録商標）とメモリースティックＤｕｏカード（登録商標）を比較すると、メモリースティックＤｕｏカード（登録商標）に比べてＳＤカード（登録商標）の方が、厚さの点で少し厚く形成されている。更に、幅及び長さの点においても、メモリースティックＤｕｏカード（登録商標）よりもＳＤカード（登録商標）の方が、少し大きく形成されている。このように寸法が微妙に異なる複数の種類のメモリーカードを共通に使用できるようにすることが、上記電子機器に関連する産業界において要望されており、そのためのメモリーカードコネクタが幾つか提供されている。
【０００４】
従来の、この種のメモリーカードコネクタとしては、例えば、特許文献１に記載されているようなものがある。特許文献１には、複数の種類のメモリーカードを装着できるようにしたメモリーカード装着装置、電子機器及びメモリーカードアダプタ装置に関するものが記載されている。この特許文献１に記載されたメモリーカード装着装置は、第１のメモリーカードを装着し電気的に結合する第１のホルダー部と第１のコネクター部及び、第２のホルダー部と第２のコネクター部を有するメモリーカード装着装置に関する。第２のホルダー部と第２のコネクター部は、第１のメモリーカードと外形又はコネクターの形状が異なる第２のメモリーカードを装着し電気的に結合するもので、第１及び第２のメモリーカードを選択的に一方のみ装着できるようにしたことを特徴としている。
【０００５】
このメモリーカード装着装置（以下「第１の従来例」という。）によれば、複数の種類のメモリーカードを装着することができるので、色々な種類のメモリーカードに使用できて便利である、等の効果が得られる（特許文献１の段落［００７７］を参照）。
【０００６】
また、従来のメモリーカードコネクタの第２の例としては、例えば、特許文献２に記載されているようなものもある。特許文献２には、奥行き方向の長さが同一で、幅・厚さが異なる２枚のカードを挿入してメモリーカードと信号入出力可能なカードコネクタに関するものが記載されている。この特許文献２に係るカードコネクタは、メモリーカードの接点と接触するコンタクトと、メモリーカードが挿入される挿入口を有しコンタクトが配列・保持されるハウジングと、このハウジングを覆うシェルとを備えている。ハウジングは、２つの側壁と奥壁とこれらを連設する下壁とを有し、これら２つの側壁と奥壁と下壁とによってメモリーカードの挿入口が形成されている。更に、ハウジングに回動可能なプレートを装着し、そのプレートが回動することにより、一方のカードが挿入される挿入口を形成し、他方のカードの挿入を防止する、ことを特徴としている。
【０００７】
このような構成を有するカードコネクタ（以下「第２の従来例」という。）によれば、幅・厚さが異なる別々の２枚のカードのうち、いずれか一方を挿入するだけで安定した接続が可能であり、１枚のカードしか挿入できないため挿入するカードを間違えることがない、等の効果が期待される（特許文献２の段落［０００８］を参照）。
【０００８】
更に、従来のメモリーカードコネクタの第３の例としては、例えば、特許文献３に記載されているようなものもある。特許文献３には、小型のメモリーカードのような挿入断面形状や幅、或いは厚さ等の異なるカードが挿入されるように用いられるカードコネクタに関するものが記載されている。この特許文献３に係るカードコネクタは、両側壁の内面に階段状に複数個の段付き案内路が形成されたコネクタ本体と、カバー部材と、スライダと、第１、第２のコンタクトと、イジェクト機構とを有している。カバー部材は、コネクタ本体と組合せて偏平で中空のハウジングを形成しており、スライダは、ハウジング内に滑動可能に設けられている。第１、第２のコンタクトは、ハウジング内に上下方向に分けて設置された複数個からなり、イジェクト機構は、ハウジング内の一側に設けられている。そして、挿入横断面方向の形状や寸法の異なる厚薄のカードに対応して、スライダに対する挿入横断面方向の形状を切り換えできる構造に形成されている、ことを特徴としている。
【０００９】
このような構成を有するカードコネクタ（以下「第３の従来例」という。）によれば、第１のカードがコネクタ本体に収容される場合、使用されない第２のコンタクトのカード接触部はスライダにより下方に押し下げられる。そのため、第１のカードと第２のコンタクトのカード接触部とが接触し互いに損傷することがなく、従って、第２のコンタクトのカード接触部を第１のコンタクトのカード接触部に対し分離できる、等の効果が期待される（特許文献３の段落［０２１６］を参照）。
【００１０】
しかしながら、第１の従来例の場合には、第１のメモリーカードのホルダ部と第１のメモリーカードのホルダ部とが共通の空間を有し、その共有する空間がメモリーカードの厚さ方向に設定されていた。そのため、メモリーカード装着装置の厚さが厚くなってしまい、このメモリーカード装着装置を使用する装置全体が大型化されるという問題があった。
【００１１】
また、第２の従来例の場合には、カードコネクタは、メモリーカードの接点と接触するコンタクトと、メモリーカードが挿入される挿入口を有すると共に前記コンタクトが配列・保持されるハウジングと、このハウジングを覆うシェルとを備えている。ハウジングは、２つの側壁と奥壁と下壁とを有し、これらによってメモリーカードの挿入口を形成している。更に、ハウジングにプレートを回動可能に装着し、そのプレートを回動することにより、一方のカードが挿入される挿入口を形成し、他方のカードの挿入を防止するように構成している。そのため、カードコネクタの厚さが厚くなってしまい、このカードコネクタを使用する装置全体が厚いものとなり、大型化されるという問題があった。また、プレートによってカードの収納部を上下に振り分ける構造となっているため、カードコネクタ全体の構造が複雑なものになっているという問題もあった。
【００１２】
更に、第３の従来例の場合には、コネクタ本体に階段状に複数個の段付き案内路を形成すると共に、ハウジング内に上下方向に分けて複数個の第１及び第２のコンタクトを設け、寸法の異なる厚薄のカードに対応して使用可能な構成となっている。そのため、カードの種類毎にカードを導く案内路を厚さ方向に重ね合わせるように設けていることから、第２の従来例と同様に、コネクタの厚さ方向の寸法が増大してしまい、コネクタ全体が大型化されるという問題があった。
【特許文献１】特開２００２−３２７１５号公報
【特許文献２】特開２００８−２１４８４号公報
【特許文献３】特開２００４−２０６９６３号公報
【発明の開示】
【発明が解決しようとする課題】
【００１３】
解決しようとする問題点は、従来のメモリーカードコネクタは、カードの種類毎にカードを導く案内路を厚さ方向に重ね合わせるように設け、高さ方向に異なる種類のカードを収納する構造となっていた。そのため、コネクタの厚さ方向の寸法が大きくなり、コネクタ全体が大型化される、という点である。
【課題を解決するための手段】
【００１４】
本出願のメモリーカードコネクタは、複数の種類のメモリーカードが出し入れされるカード収納部を有するコネクタ筐体と、第１及び第２のスライド部材と、複数の接続端子と、端子切換板と、を設けて構成されている。第１のスライド部材は、メモリーカードが出し入れされる方向に移動可能とされてカード収納部内に配置されると共に、複数の種類のメモリーカードのうち第１のメモリーカードを案内してカード収納部に出し入れさせる。第２のスライド部材は、メモリーカードが出し入れされる方向に移動可能とされてカード収納部内に配置されると共に、複数の種類のメモリーカードのうち第２のメモリーカードを案内してカード収納部に出し入れさせる。複数の接続端子は、カード収納部内に配置されて複数の種類のメモリーカードの複数の端子接点部と接続可能とされていて、複数の接続端子を選択して突出可能な複数の端子用穴が端子切換板に設けられている。そして、カード収納部に挿入されるメモリーカードの種類に応じて端子切換板を移動させることにより、複数の接続端子のうち所定の接続端子のみをメモリーカードの複数の端子接点部に接続可能とした。
【発明の効果】
【００１５】
本出願のメモリーカードコネクタ及び電子機器によれば、複数の接続端子が同一平面上に設定されており、挿入されるメモリーカードの種類に応じて第１のスライド部材又は第２のスライド部材が移動される。これにより、端子切換板が移動されて所定の接続端子が端子用穴から突出されるため、複数の接続端子のうち所定の接続端子のみを、メモリーカードの種類に応じて複数の端子接点部に接続させることができ、メモリーカードコネクタの薄型化・小型化を図ることができる。
【発明を実施するための最良の形態】
【００１６】
コネクタ筐体のカード収納部内に第１及び第２のスライド部材を移動可能に収納すると共に、そのカード収納部内に複数の接続端子と端子切換板とを配置する。そして、複数の接続端子が突出可能な複数の端子用穴を端子切換板に設け、その端子切換板を移動させることにより、カード収納部に挿入されるメモリーカードの種類に応じて複数の端子用穴のうち所定の端子用穴から接続端子を突出させる。これにより、複数の種類のメモリーカードを選択的に収納することができ、構造が簡単であって、小型化・薄型化に貢献できるメモリーカードコネクタ及びその電子機器を、簡単な構成によって実現した。
【実施例１】
【００１７】
以下に、本発明の実施の形態を、添付した図面を参照して説明する。
図１〜図１２は、本発明のメモリーカードコネクタの第１の実施の例を示すもので、２種類のメモリーカードを選択的に収納して保持できるようにしたものである。この実施の例では、第１のメモリーカード１としてメモリースティックＤｕｏカード（登録商標）を適用し、第２のメモリーカード２としてＳＤ(Secure Digital) カード（登録商標）を適用した場合について説明する。
【００１８】
しかしながら、本発明に係るメモリーカードとしては、この実施の例で説明するメモリースティックＤｕｏカード（登録商標）及びＳＤカード（登録商標）に限定されるものではない。例えば、ＩＣ(Integrated Circuit) メモリーカード、ＳＩＭ(Subscriber Identity Module) カード（登録商標）、ＭＭ(Multi Media) カード（登録商標）、スマートメディアカード（登録商標）等をメモリーカードとして適用することができる。更に、その他のメモリーカードとして、メモリースティックマイクロカード（登録商標）、マイクロＳＤカード（登録商標）等を適用することができることは勿論である。
【００１９】
第１のメモリーカード１は、図１３及び図１４に示すような形状及び構造を備えて構成されている。図１３に示す一方のメモリーカードは、第１のメモリーカード１として説明するメモリースティックＤｕｏカード（登録商標）を表面側から見た斜視図であり、図１４は、その第１のメモリーカード１を裏面から見た平面図である。この第１のメモリーカード１は、偏平で薄くて中空の長方形板状の部材からなるカードケース３と、このカードケース３内に収納されたＩＣチップと呼ばれる図示しないＩＣ部品等を有している。このカードケース３の裏面の長手方向の一方の前端部に端子用開口部４が設けられており、その端子用開口部４には、内蔵されたＩＣ部品と電気的に接続された複数の端子接点部５が露出されている。また、カードケース３の前端部の幅方向の一方の前角部には、誤装着防止用の斜面部６が設けられている。更に、カードケース３の一方の側面の前側下部には、第１のメモリーカード１の位置決め用の半円形をなす位置決め凹部７が設けられている。
【００２０】
第２のメモリーカード２は、図１３及び図１５に示すような形状及び構造を備えて構成されている。図１３に示す他方のメモリーカードは、第２のメモリーカード２として説明するＳＤカード（登録商標）を表面側から見た斜視図であり、図１５は、その第２のメモリーカード２を裏面から見た平面図である。この第２のメモリーカード２は、偏平で薄くて中空の長方形板状の部材からなるカードケース８と、このカードケース８内に収納された図示しないＩＣ部品等を有している。このカードケース８の裏面の長手方向の一方の前端部に端子用開口部９が設けられており、その端子用開口部９には、内蔵されたＩＣ部品と電気的に接続された複数の端子接点部１０が露出されている。また、カードケース８の前端部の幅方向の他方の前角部（第１のメモリーカード１の斜面部６と反対側の前角部）には、誤装着防止用の斜面部１１が設けられている。更に、カードケース８の他方の側面（斜面部１１のある側面）の前側下部には、第２のメモリーカード２の位置決め用の四角形をなす位置決め凹部１２が設けられている。
【００２１】
第１のメモリーカード１の正面側の形状が長方形であるのに対し、第２のメモリーカード２の正面側の形状は略Ｔ字形状をなしており、２つのメモリーカード１，２には、その形状及び構造において若干の違いがある。第１のメモリーカード１としてのメモリースティックＤｕｏカード（登録商標）の長さをＬ１、その幅をＢ１、その厚さをＴ１とする。そして、第２のメモリーカード２としてのＳＤカード（登録商標）の長さをＬ２、その最大幅をＢ２、段部１４，１４間の幅をＣ、その厚さをＴ２とする。すると、第１のメモリーカード１と第２のメモリーカード２との間には、Ｌ１＜Ｌ２、Ｂ１＜Ｃ＜Ｂ２及びＴ１＜Ｔ２の関係があり、長さ、幅及び厚さの何れにおいても、第２のメモリーカード２の方が第１のメモリーカード１よりも少し大きく形成されている。
【００２２】
このように形状及び大きさの異なる２種類のメモリーカード１，２が着脱自在に装着されるメモリーカードコネクタ２０は、図１〜図１２に示すような構成を備えている。図２は、ハウジングとカバープレートによって構成されるメモリーカードコネクタ２０の外観を示す斜視図であり、図１は、図２に記載したカバープレートを取り除いてハウジングの内部を表した斜視図である。このメモリーカードコネクタ２０は、ハウジング２１と、カバープレート２２と、第１のスライド部材２３及び第２のスライド部材２４と、端子切換板２５と、ガイド部材２６と、第１の位置規制部２７及び第２の位置規制部２８等を有している。
【００２３】
図１及び図２等に示すように、ハウジング２１は、上面及び前面に開口された直方体をなす容器状の部材からなり、その内部空間がカード収納部３０となっている。即ち、ハウジング２１の正面となる前面部２１ａに、カード収納部３０の出入口３０ａが開口されている。このカード収納部３０の出入口３０ａの形状及び大きさは、このカード収納部３０に対して挿脱される２種類のメモリーカードの何れにも対応し得る形状及び大きさに設定されている。即ち、カード収納部３０の出入口３０ａは、図２及び図７等に示すように、その幅Ｂ及び厚さＴのいずれもが大きい第２のメモリーカード２の前面部の形状及び大きさを基本的形態としている。そして、これに第１のメモリーカード１の厚さ（高さ）Ｔ１を考慮して、第１のメモリーカード１及び第２のメモリーカード２のいずれもが挿入可能な形状及び大きさに形成されている。
【００２４】
即ち、ハウジング２１の前面部２１ａの幅方向の両側に、上方に突出する門柱状の前端部３１，３２を設けると共に、各前端部３１，３２の内側下部にそれぞれ下段部３１ａ，３２ａを設けている。これにより、カード収納部３０の出入口３０ａの形状は、大型の第２のメモリーカード２が有する正面側のＴ字形状に対応したやや大きなＴ字形状となっている。そして、カード収納部３０の出入口３０ａの最大幅Ｄは、第２のメモリーカード２の最大幅Ｂ２に対応させて、第２のメモリーカード２の出し入れが可能な程度に、その最大幅Ｂ２よりも少し大きく設定されている。また、カード収納部３０の出入口３０ａの下部となる２つの下段部３１ａ，３２ａ間の幅Ｄ１は、同じく第２のメモリーカード２の出し入れが可能な程度に、第２のメモリーカード２の下部の幅Ｃよりも少し大きく設定されている。
【００２５】
一方、カード収納部３０の出入口３０ａの高さＥは、２つのメモリーカード１，２の何れをも挿通可能な寸法に設定されている。即ち、出入口３０ａの幅広とされた上部開口の深さ（高さ）Ｅ１は、第１のメモリーカード１の高さＴ１に対応させて、第１のメモリーカード１の出し入れが可能な程度に、その高さＴ１よりも少し大きく設定されている。また、出入口３０ａの幅狭とされた下部開口（２つの下段部３１ａ，３２ａ間）の深さ（高さ）Ｅ２は、第２のメモリーカード２の段部１４，１４間の高さＴ２ｂに対応させて、第２のメモリーカード２の段部１４，１４間の細幅部分の出し入れが可能な程度に、その高さＴ２ｂよりも少し大きく（深く）設定されている。
【００２６】
なお、第２のメモリーカード２の上部の高さＴ２ａは、第１のメモリーカード１の高さＴ１よりも小さく（低く）設定されている。従って、２つのメモリーカード１，２の高さ（厚さ）の間には、Ｔ１＜Ｔ２と、Ｔ１＞Ｔ２ａの関係がある。
【００２７】
図３〜図５は、カバープレート２２を取り除いたメモリーカードコネクタ２０の平面図であり、図３はメモリーカード１，２を挿入する前の状態、図４は第１のメモリーカード１を挿入した状態、図５は第２のメモリーカード２を挿入した状態を示している。図１及び図３〜図５に示すように、ハウジング２１のカード収納部３０内に第１のスライド部材２３と第２のスライド部材２４が、メモリーカードが出し入れされる方向（挿脱方向）へ所定の範囲内でスライド可能な状態で収納されている。
【００２８】
第１のスライド部材２３は、ハウジング２１の一方の側面部２１ｂの内側に配置され、第２のスライド部材２４は、第１のスライド部材２３と対向するように他方の側面部２１ｃの内側に配置されている。そして、第１のスライド部材２３は、第１のリターンばね３３によってカード収納部３０の出入口３０ａ側に常時付勢されていると共に、第１の位置規制部２７によって所定位置に位置規制されている。また、第２のスライド部材２４は、第２のリターンばね３４によってカード収納部３０の出入口３０ａ側に常時付勢されていると共に、第２の位置規制部２８によって所定位置に位置規制されている。この第１の位置規制部２７と第１のリターンばね３３により、プッシュ・プッシュ操作によって第１のメモリーカードを挿入・離脱させる第１のイジェクト機構が構成されている。そして、第２の位置規制部２８と第２のリターンばね３４により、プッシュ・プッシュ操作によって第２のメモリーカードを挿入・離脱させる第２のイジェクト機構が構成されている。
【００２９】
第１のスライド部材２３は、軸方向の一端に側方へ突出するストッパ部３５を設けたＬ字状をなす角棒状の部材からなり、ストッパ部３５を内側へ向けた状態でカード収納部３０内に収納されている。このストッパ部３５の前面３５ａは、第１のメモリーカード１の前端部を位置決めする役割りを有している。この第１のスライド部材２３のストッパ部３５と反対側の側面はハウジング２１の側面部２１ｂの内面に接触されていると共に、メモリーカードの挿脱方向に所定の距離だけスライド可能なように軸方向の前後に所定の隙間が設定されている。この第１のスライド部材２３の背面側に第１のリターンばね３３の一端が着座され、この第１のリターンばね３３の他端がハウジング２１の背面部２１ｄに着座されている。
【００３０】
第１のリターンばね３３はコイルばねからなり、少し圧縮した状態でハウジング２１と第１のスライド部材２３との間に介在されている。第１のリターンばね３３の一端はストッパ部３５に設けたばね受け凸部３５ａに係止され、その他端は背面部２１ｄに設けたばね受け凸部３６ａに係止されている。この第１のリターンばね３３のばね力により第１のスライド部材２３は出入口３０ａ側に常時付勢されていると共に、側面部２１ｂにガイドされつつ第１の位置規制部２７によって出入口３０ａ側への移動が規制されている。
【００３１】
更に、第１のスライド部材２３の内側側面には、ハウジング２１の前端部３１の内面に設けた下段部３１ａと対応する形状及び大きさとされた段部３７が設けられている。第１のスライド部材２３の段部３７は、メモリーカードコネクタ２０を正面から見た状態において、ハウジング２１の下段部３１ａと重なり合うよう同様の形状及び大きさに設定されている。これら下段部３１ａ及び段部３７並びにその周辺部は、カード収納部３０に出し入れされるメモリーカード１，２の一方の側面部をガイドして直線的に移動させる役割りを果たしており、一方の基準部としての意義を有している。
【００３２】
この第１のスライド部材２３の前端部２３ａとハウジング２１の前端部３１との間に、第１のスライド部材２３の位置を規制する第１の位置規制部２７が設けられている。第１のイジェクト機構は、前端部３１に固定された弾性を有するガイドピン４１と、前端部２３ａに設けられた循環形カム溝４２と、ガイドピン４１を付勢してその自由端部が循環形カム溝４２のカム面から離脱するのを防止する弾性片４３と、前記第１のリターンばね３３とからなっている。ガイドピン４１は、コの字状に形成された鎹形状の部材からなり、一方の軸部が前端部３１の背面側において１段低く設けられた後段部３１ｂに固定され、他側が第１のスライド部材２３側に延在されている。
【００３３】
第１のスライド部材２３の前端部２３ａは、前端部３１の後段部３１ｂと同じく一段低く設定されており、この前端部２３ａの上面に循環形カム溝４２が設けられている。前端部３１に他の部分よりも低い後段部３１ｂを設けると共に、前端部２３ａを後段部３１ｂと同じ高さにして第１のスライド部材２３の他の部分よりも低く設定している。この理由は、ハウジング２１にカバープレート２２を装着した際に、その内側にガイドピン４１が納まるようにするためである。
【００３４】
一方の軸部が後段部３１ｂに固定されたガイドピン４１の他方の軸部は循環形カム溝４２内に挿入されていて、図２に示すカバープレート２２に設けた弾性片４３により付勢されて循環形カム溝４２の底面に設けたカム面と接触されている。循環形カム溝４２は、略ハート型の形状をしており、底面のカム面及び第１のリターンばね３３と協働して、第１のメモリーカード１を挿脱するための周知の、いわゆるプッシュ・プッシュ方式のイジェクト機構を構成している。
【００３５】
このプッシュ・プッシュ方式のイジェクト機構は、カード収納部３０に挿入された第１のメモリーカード１を連続して押圧することにより、その挿脱動作が実行される。即ち、第１のメモリーカード１に対する最初のプッシュ（押圧）操作により、第１のメモリーカード１がカード収納部３０に所定の深さまで挿入され、その所定の収納位置において第１のスライド部材２３がロックされる。これにより、第１のメモリーカード１がカード収納部３０に収納され、その収納状態が第１の位置規制部２７によって保持される。この第１のメモリーカード１を更にプッシュ操作すると、第１の位置規制部２７による第１のスライド部材２３のロックが解除され、第１のリターンばね３３のばね力により、第１のスライド部材２３が出入口３０ａ側に移動する。この第１のスライド部材２３の移動により、第１のメモリーカード１がカード収納部３０から押し出される。
【００３６】
即ち、最初に第１のメモリーカード１をプッシュ操作すると、第１のリターンばね３３のばね力に抗して第１のスライド部材２３が所定位置まで後退される。このとき、ガイドピン４１の他方の軸部が循環形カム溝４２を、例えば時計方向に半周して、図３に示す位置から図４に示す位置まで移動する。これにより、第１のリターンばね３３のばね力によってガイドピン４１が、循環形カム溝４２を半周程度移動してロック位置に保持される。その結果、図４に示すように、第１のスライド部材２３が所定の後退位置でロックされることにより、第１のメモリーカード１が所定の収納位置で保持される。
【００３７】
続いて、収納状態にある第１のメモリーカード１を再びプッシュ操作すると、第１のリターンばね３３のばね力により第１のスライド部材２３が、一旦押し切り位置まで後退した後、再び出入口３０ａ側に移動される。このとき、ガイドピン４１の他方の軸部が、図４に示す位置から循環形カム溝４２を、例えば時計方向に更に半周して、図３に示す位置に戻る。これにより、第１のリターンばね３３のばね力によってガイドピン４１が循環形カム溝４２の初期位置に保持され、第１のスライド部材２３が当初の前進位置まで移動する。その結果、第１のメモリーカード１の一部がカード収納部３０から押し出され、第１のメモリーカード１を取り出すことが可能な状態となる。なお、ハウジング２１の側面部２１ｂには、第１の位置規制部２７の側面側を露出させるための切欠き部４４が設けられている。
【００３８】
第２のスライド部材２４は、軸方向の一端に側方へ突出するガイド部３８を設けた略Ｌ字状をなす角棒状の部材からなり、ガイド部３８を内側へ向けた状態でカード収納部３０内に収納されている。ガイド部３８の前面３８ａは、第２のメモリーカード２の斜面部１１に対応した傾斜角度を有する傾斜面として形成されており、第２のメモリーカード２の挿入時にはその斜面部１１が当接される。このようにガイド部３８の前面３８ａは、第２のメモリーカード２の前端部を位置決めする役割りを有している。この第２のスライド部材２４のガイド部３８と反対側の側面はハウジング２１の側面部２１ｃの内面に接触されていると共に、メモリーカードの挿脱方向に所定の距離だけスライド可能なように、軸方向の前後に所定の隙間が設定されている。この第２のスライド部材２４の背面側に第２のリターンばね３２の一端が着座され、その他端がハウジング２１の背面部２１ｄに着座されている。
【００３９】
第２のリターンばね３４はコイルばねからなり、少し圧縮した状態でハウジング２１と第２のスライド部材２４との間に介在されている。第２のリターンばね３４の一端はガイド部３８に設けたばね受け凸部３８ａに係止され、その他端は背面部２１ｄに設けたばね受け凸部３６ｂに係止されている。この第２のリターンばね３４のばね力により、第２のスライド部材２４は出入口３０ａ側に常時付勢されていると共に、側面部２１ｃにガイドされつつ第２の位置規制部２８によって出入口３０ａ側への移動が規制されている。
【００４０】
この第２のスライド部材２４の前端部２４ａとハウジング２１の前端部３２との間に、第２のスライド部材２４の位置を規制する第２の位置規制部２８が設けられている。第２のイジェクト機構は、前端部３２に固定された弾性を有するガイドピン４５と、前端部２４ａに設けられた循環形カム溝４６と、ガイドピン４５を付勢してその自由端部が循環形カム溝４６のカム面から離脱するのを防止する弾性片４７と、前記第２のリターンばね３４とからなっている。ガイドピン４５は、コの字状に形成された鎹形状の部材からなり、一方の軸部が前端部３２の背面側において１段低く設けられた後段部３２ｂに固定され、他側が第２のスライド部材２４側に延在されている。
【００４１】
第２のスライド部材２４の前端部２４ａは、前端部３２の後段部３２ｂと同じく一段低く設定されており、この前端部２４ａの上面に循環形カム溝４６が設けられている。前端部３２に他の部分よりも低い後段部３２ｂを設けると共に、前端部２４ａを後段部３２ｂと同じ高さにして第２のスライド部材２４の他の部分よりも低く設定している。この理由は、ハウジング２１にカバープレート２２を装着した際に、その内側にガイドピン４５が納まるようにするためである。
【００４２】
一方の軸部が後段部３２ｂに固定されたガイドピン４５の他方の軸部は循環形カム溝４６内に挿入されていて、図２に示すカバープレート２２に設けた弾性片４７により付勢されて循環形カム溝４６の底面に設けたカム面と接触されている。循環形カム溝４６は、略ハート型の形状をしており、底面のカム面及び第２のリターンばね３４と協働して、第２のメモリーカード２を挿脱するための周知の、いわゆるプッシュ・プッシュ方式のイジェクト機構を構成している。この第２のイジェクト機構は、前述した第１のイジェクト機構と同様の構成を有しており、作用も同様であるが、動作の対象を第２のメモリーカード２としているため、再度ここでその動作等を説明する。
【００４３】
この第２のイジェクト機構は、第２のメモリーカード２を動作の対象とするもので、後述するように、第１のメモリーカード１を挿脱する場合には動作することはない。即ち、カード収納部３０に第２のメモリーカード２が挿入された場合にのみ、その挿脱動作が実行される。
【００４４】
第２のメモリーカード２に対する最初のプッシュ（押圧）操作により、第２のメモリーカード２が、第２のリターンばね３４のばね力に抗してカード収納部３０内の所定の深さまで挿入される。これにより、第２のスライド部材２４が第２の位置規制部２８によってロックされ、第２のメモリーカード２がカード収納部３０の所定位置に収納されて保持される。この第２のメモリーカード２を更にプッシュ操作すると、第２の位置規制部２８による第２のスライド部材２４のロック状態が解除され、第２のリターンばね３４のばね力により、第２のスライド部材２４が出入口３０ａ側に移動する。この第２のスライド部材２４の移動により、第２のメモリーカード２がカード収納部３０から押し出される。
【００４５】
即ち、最初に第２のメモリーカード２をプッシュ操作すると、第２のリターンばね３４のばね力に抗して第２のスライド部材２４が所定位置まで後退される。このとき、ガイドピン４５の他方の軸部が循環形カム溝４６を、例えば時計方向に半周して、図３に示す位置から図５に示す位置まで移動する。これにより、第２のリターンばね３４のばね力によってガイドピン４５が、循環形カム溝４６を半周程度移動してロック位置に保持される。その結果、図５に示すように、第２のスライド部材２４が所定の後退位置でロックされることにより、第２のメモリーカード２が所定の収納位置で保持される。
【００４６】
続いて、収納状態にある第２のメモリーカード２を再びプッシュ操作すると、第２のリターンばね３４のばね力により第２のスライド部材２４が、一旦押し切り位置まで後退した後、再び出入口３０ａ側に移動される。このとき、ガイドピン４５の他方の軸部が、図５に示す位置から循環形カム溝４６を、例えば時計方向に更に半周して、図３に示す位置に戻る。これにより、第２のリターンばね３４のばね力によってガイドピン４５が循環形カム溝４６の初期位置に保持され、第２のスライド部材２４が当初の前進位置まで移動する。その結果、第２のメモリーカード２の一部がカード収納部３０から押し出され、第２のメモリーカード２を取り出すことが可能な状態となる。なお、ハウジング２１の側面部２１ｃには、第２の位置規制部２８の側面側を露出させるための切欠き部４４が設けられている。
【００４７】
この第２のメモリーカード２の挿脱動作時には、上述した第２のスライド部材２４及び第２の位置規制部２８の動作の他に、第１のスライド部材２３及び第１の位置規制部２７も同様に動作することになる。しかしながら、第１のスライド部材２３等の動作は、ばね力や摩擦抵抗等の増加のように小さな影響はあるが、第２のスライド部材２４等の動作に大きな影響を与えるものではない。
【００４８】
更に、第２のスライド部材２４の内側側面には、ハウジング２１の前端部３２の内面に設けた下段部３２ａと対応する形状及び大きさとされた段部４９が設けられている。第２のスライド部材２４の段部４９は、メモリーカードコネクタ２０を正面から見た状態において、ハウジング２１の下段部３２ａと重なり合うよう同様の形状及び大きさに設定されている。これら下段部３２ａ及び段部４９並びにその周辺部は、カード収納部３０に出し入れされる第２のメモリーカード２の他方の側面部をガイドして直線的に移動させる役割りを果たしており、下段部３１ａ及び段部３７並びにその周辺部に対する他方の基準部としての意義を有している。
【００４９】
また、第２のスライド部材２４の内側側面には端子切換板２５が一体に設けられている。図６は、第１のメモリーカード１としてのメモリースティックＤｕｏカードと第２のメモリーカード２としてのＳＤカードの実際の接続端子の数とその配置関係を表した２種類の端子用穴５１，５２を有する端子切換板２５を示す図である。この端子切換板２５には、第１のメモリーカード１のための１０個の第１の端子用穴５１と、第２のメモリーカード２のための９個の第２の端子用穴５２が設けられている。
【００５０】
端子切換板２５は、長方形をなす薄い板体からなり、その平面側を上下方向に設定すると共に長手方向の一端をガイド部３８の内側側面に連結することにより第２のスライド部材２４と一体に設けられている。この端子切換板２５の、カード収納部３０の出入口３０ａ側に第２の端子用穴５２が配置され、出入口３０ａと反対の奥側に第１の端子用穴５１が配置されている。第１の端子用穴５１と第２の端子用穴５２は、端子切換板２５の長手方向にそれぞれ適当な隙間をあけて略互い違いとなるように配置されていて、それぞれが表裏面間を貫通するように形成されている。なお、図１及び図３〜図５に示した端子切換板２５は、図６に示した第１及び第２の端子用穴５１，５２の数が多いために、その一部を省略して模式的に表したものである。
【００５１】
図３〜図５等に示すように、端子切換板２５は、カード収納部３０の奥側の略中央部に配置されている。更に、端子切換板２５は、図６、図１１及び図１２に示すように、ハウジング２１の底面との間に所定の隙間をあけて、略平行をなすように設けられている。この端子切換板２５の下方であって、ハウジング２１の底面に、挿入されたメモリーカード１，２の接続端子と接続可能なように、２種類の所定数の接続端子５３，５４が設けられている。これら接続端子５３，５４は、カード収納部３０の底面に設けられた図示しない配線パターンと電気的に接続されている。
【００５２】
図１１は、第１のメモリーカード１をカード収納部３０に挿入したときの状態を表したもので、上半分は図６のＹ−Ｙ線断面図、下半分は図６のＺ−Ｚ線断面図である。また、図１２は、第２のメモリーカード２をカード収納部３０に挿入したときの状態を表したもので、上半分は図６のＹ−Ｙ線断面図、下半分は図６のＺ−Ｚ線断面図である。図１１は、図３及び図４に示す状態に対応しており、第２のスライド部材２４が前進した位置にあるメモリーカード未装着の初期状態又は第１のメモリーカード１を装着したときの状態である。また、図１２は、図５に示す状態に対応しており、第２のスライド部材２４が後退した位置にある第２のメモリーカード２を装着したときの状態である。
【００５３】
図１２において、第２のメモリーカード２がカード収納部３０の所定位置まで挿入された状態において、第２のメモリーカード２の先端部がカード収納部３０の底面と干渉しているが、これは、２つの断面部分を上下に重ねて書いたことによるものである。２つの断面部分は、実際には平面方向に存在するため、第２のメモリーカード２の先端部がカード収納部３０の底面と干渉することはない。
【００５４】
図３〜図５、図１１及び図１２に示すように、第２のスライド部材２４が移動していない初期位置にあるとき、端子切換板２５には、第１の端子用穴５１にのみ第１の接続端子５３が挿入され、その上面から第１の接続端子５３が適宜な高さだけ突出されている。この第２のスライド部材２４の非移動時は、カード収納部３０に何れのメモリーカード１，２も挿入されていないか、又は、第１のメモリーカード１が挿入されたときである。一方、第２のスライド部材２４が後方へ移動して後退位置にあるとき、端子切換板２５には、第１の端子用穴５１から第１の接続端子５３が抜け出し、入れ替わりに第２の端子用穴５２に第２の接続端子５４が挿入される。そして、端子切換板２５の上面から第２の接続端子５４の一部が適宜な高さだけ突出される。この第２のスライド部材２４の移動時は、カード収納部３０に第２のメモリーカード２が挿入されたときにのみ実行される。
【００５５】
また、ハウジング２１のカード収納部３０には、第１のメモリーカード１が挿入されるときに、その第１のメモリーカード１の他方の側面部をガイドして直線的な挿入動作を確保するためのガイド部材２６が配置されている。このガイド部材２６は、図３〜図１０に示すように、カード収納部３０の底面から上方に突出されたカード支持部６１と、同じくカード収納部３０の底面から上方に突出可能とされたロック部６２と、カード支持部６１とロック部６２とを連結するアーム部６３とを有している。図７は、メモリーカードコネクタ２０の正面図、図８及び図９は、それぞれ図３のＸ−Ｘ線断面図である。また、図１０Ａ及び１０Ｂは、それぞれ図３のＷ−Ｗ線断面図である。
【００５６】
図１等に示すように、ガイド部材２６のカード支持部６１は、カード収納部３０の前部の第２のスライド部材２４側に配置されている。このカード支持部６１は、メモリーカードの挿脱方向に延在された直方体をなすブロック状の部分からなり、カード収納部３０の底面を貫通して上方に突出されている。このカード支持部６１の上面の第２のスライド部材２４側には、上方に突出する衝立片６１ａが設けられている。この衝立片６１ａが、第１のメモリーカード１の幅方向の他側の位置を規制すると共に、挿脱方向にガイドして第１のメモリーカード１の直線的な挿入動作を確保する役割りを有している。
【００５７】
ガイド部材２６のロック部６２は、第２のスライド部材２４の移動を規制するもので、第２のメモリーカード２が装着されるときにのみ第２のスライド部材２４のロックを解除してその移動を可能とする。即ち、メモリーカードの未装着時と第１のメモリーカード１がカード収納部３０に挿入されるときには、カード支持部６１とロック部６２が上昇した位置に保持され、ロック部６２によって第２のスライド部材２４の移動が防止される。これに対して、第２のメモリーカード２がカード収納部３０に挿入されるときには、カード支持部６１とロック部６２が下方に押し下げられ、ロック部６２による第２のスライド部材２４のロックが解除されて、その移動が可能となる。そのため、第２のスライド部材２４の略中心部分の下面には、ガイド部材２６のロック部６２が着脱自在に係合されるロック穴６５が設けられている。
【００５８】
カード支持部６１とロック部６２は、図３等に示すように、適宜な形状をなすアーム部（本実施例ではＬ字形状をなしている。）６３により連結されて一体に構成されている。このガイド部材２６の下部の形状、即ち、カード支持部６１の下部とロック部６２とアーム部６３の形状に見合う形状を有する昇降空間部６６がハウジング２１に設けられている。そして、昇降空間部６６内において、ガイド部材２６が付勢部材の一具体例を示すコイルばね６７によりカード支持部６１がカード収納部３０内に突出するように常時付勢されている。コイルばね６７の一端はアーム部６３に設けたばね受け座６３ａに着座され、コイルばね６７の他端は底蓋６８に設けたばね受け凸部６８ａに係合保持されている。
【００５９】
底蓋６８は、ハウジング２１に設けた昇降空間部６６の開口部を閉じる蓋体であり、複数個の固定ねじ６９によって取り外し可能に締付固定されている。この底蓋６８は、固定ねじ６９を用いることなく、例えば、ハウジング２１を樹脂材料により形成して熱カシメ等で固定する構成とすることもできる。
【００６０】
このような構成を有するハウジング２１の上部に、カード収納部３０の上面を覆って正面側の出入口３０ａを開放するカバープレート２２が、図示しない固定ねじ等による固定手段によって着脱可能に取り付けられている。このカバープレート２２は、ハウジング２１の上面を覆う上面部２２ａと、ハウジング２１の左右両側面を覆う左右の側面部２２ｂ，２２ｃとからなっている。カバープレート２２の上面部２２ａの、第１の位置規制部２７と対応する位置には第１の弾性片４３が設けられ、第２の位置規制部２８と対応する位置には第２の弾性片４７が設けられている。
【００６１】
第１の弾性片４３は、他の部分よりも薄く形成することによって適当な弾性が付与されており、第１のイジェクト機構２７の第１のガイドピン４１の自由端側を下方に付勢し、その先端部を第１の循環形カム溝４２のカム面に圧接させている。また、第２の弾性片４７は、同じく他の部分よりも薄く形成することによって適当な弾性が付与されており、第２のイジェクト機構２８の第２のガイドピン４５の自由端側を下方に付勢し、その先端部を第２の循環形カム溝４６のカム面に圧接させている。
このカバープレート２２とハウジング２１とにより、２種類のメモリーカード１，２が着脱自在に装着されるカード収納部３０を有するコネクタ筐体２９が構成されている。
【００６２】
図１３は、メモリーカードコネクタが一体に設けられた電子機器７０の要部と、そのメモリーカードコネクタのカード収納部３０の出入口３０ａに第１のメモリーカード１と第２のメモリーカード２を臨ませた状態を示す図である。このメモリーカードコネクタが用いられる電子機器７０としては、例えば、パーソナルコンピュータ、ＰＤＡ、携帯電話機、ゲーム機、デジタルビデオカメラ、デジタルカメラ、ポータブルオーディオ装置、カーオーディオ装置、カーナビゲーション等を挙げることができる。
【００６３】
このような構成を有するメモリーカードコネクタ２０は、例えば、次のようにして用いることができる。例えば、図１３に示すように、カード収納部３０の出入口３０ａに第１のメモリーカード１又は第２のメモリーカード２を臨ませ、所望のメモリーカードを出入口３０ａからカード収納部３０内に挿入する。このとき、第１のメモリーカード１を挿入した場合には、重ねて第２のメモリーカード２を挿入することはできず、同様に、第２のメモリーカード２を挿入した場合には、重ねて第１のメモリーカード１を挿入することはできない。
【００６４】
いま、図２、図７及び図８に示すように、第１のメモリーカード１をカード収納部３０に挿入すると、第１のメモリーカード１の挿入方向に対して左側の側面部がハウジング２１の一方の前端部３１の下段部３１ａの上面に載置される。これと共に、第１のメモリーカード１の右側の側面部が、ガイド部材２６のカード支持部６１の上面に載置される。この状態で第１のメモリーカード１を押し込むことにより、第１のメモリーカード１の右側面部が、前端部３１の下段部３１ａを経て第１のスライド部材２３の段部３７を奥行き方向へ移動し、それらの上面によって支えられる。一方、第１のメモリーカード１の左側面部は、ガイド部材２６のカード支持部６１の上面によって支えられると共に、衝立片６１ａにガイドされて奥行き方向へ移動する。
【００６５】
これら段部３７や衝立片６１ａ等にガイドされて第１のメモリーカード１が所定の深さまで差し込まれると、第１のメモリーカード１の先端部が第１のスライド部材２３のストッパ部３５の前面３５ｂに当接される。そこで、第１のリターンばね３３のばね力に抗して更に第１のメモリーカード１を押し込むと、第１のスライド部材２３が図３に示す初期位置から図４に示す収納位置まで移動し、その収納位置において第１の位置規制部２７によって保持される。このとき、端子切換板２５の第１の端子用穴５１から突出されている複数の第１の接続端子５３に、第１のメモリーカード１の挿入側前部に設けられている端子接点部５がそれぞれ接触される。これにより、第１のメモリーカード１がメモリーカードコネクタ２０と電気的に接続される。
【００６６】
この場合、第１のメモリーカード１は、第２のスライド部材２４と接触することなく、第１のスライド部材２３のみを移動させて、カード収納部３０に挿入される。即ち、第１のメモリーカード１の左側面部を支持する下段部３１ａ及び段部３７の高さと、第１のメモリーカード１の右側面部を支持するカード支持部６１の高さとが程同一であるため、ガイド部材２６が当初の高さ位置に保持される。そのため、ガイド部材２６のロック部６２が第２のスライド部材２４のロック穴６５に係合した状態が保持され、第２のスライド部材２４が移動することはない。これにより、端子切換板２５が当初の前側位置に保持されるため、端子切換板２５の第１の端子用穴５１から突出されている複数の第１の接続端子５３に、第１のメモリーカード１の端子接点部５がそれぞれ接触され、これらの端子接点部５及び接続端子５３間が電気的に接続される。
【００６７】
一方、図２、図７及び図９に示すように、第２のメモリーカード２をカード収納部３０に挿入すると、第２のメモリーカード２の挿入方向に対して左側の側面部は、同じくハウジング２１の一方の前端部３１の下段部３１ａの上面に載置される。これ対して、第２のメモリーカード２の右側の側面部は、ハウジング２１の他方の前端部３２の下段部３２ａの上面に載置される。このとき、第２のメモリーカード２の場合、左右両側面部の間には下方へ突出した部分が存在するため、その下方突出部により、コイルばね６７のばね力に抗してガイド部材２６が下方へ押し下げられる。その結果、ガイド部材２６のロック部６２がロック穴６５から外れて第２のスライド部材２４のロックが解除される。
【００６８】
この状態で第２のメモリーカード２を押し込むことにより、第２のメモリーカード２の右側面部が、一方の前端部３１の下段部３１ａを経て第１のスライド部材２３の段部３７を奥行き方向へ移動し、それらの上面によって支えられる。一方、第２のメモリーカード２の左側面部は、他方の前端部３２の下段部３２ａを経て第２のスライド部材２４の段部４９を奥行き方向へ移動し、それらの上面によって支えられる。これら段部３７や段部４９等にガイドされて第２のメモリーカード２が所定の深さまで差し込まれると、第２のメモリーカード２の先端部に設けた斜面部１１が第２のスライド部材２４のガイド部３８の前面３８ｂに当接される。
【００６９】
そこで、第２のリターンばね３４のばね力に抗して更に第２のメモリーカード２を押し込むと、第２のスライド部材２４が図３に示す初期位置から図５に示す収納位置まで移動し、その収納位置において第２の位置規制部２８によって保持される。このとき、端子切換板２５が第２のスライド部材２４と一体的に構成されているため、第２のスライド部材２４と共に後方へ移動し、端子切換板２５の複数の第１の端子用穴５１から複数の第１の接続端子５３がそれぞれ抜け出す。これと入れ替わりに、端子切換板２５の複数の第２の端子用穴５２に複数の第２の接続端子５４がそれぞれ入り込み、それらが端子切換板２５の上方へそれぞれ突出される。
【００７０】
その結果、端子切換板２５の第２の端子用穴５２から突出されている複数の第２の接続端子５４に、第２のメモリーカード２の挿入側前部に設けられている端子接点部１０がそれぞれ接触される。これにより、第２のメモリーカード２がメモリーカードコネクタ２０と電気的に接続される。このとき、第２のスライド部材２４と連動するように第１のスライド部材２３も同様に動作するが、第１のスライド部材２３は第１の位置規制部２７によって位置規制されているため、この第１のスライド部材２３による動作が妨げとなることはない。
【００７１】
第１のメモリーカード１を取り出す場合には、図４に示す状態から、再度第１のメモリーカード１をプッシュ（押圧）操作するだけでよい。同様に、第２のメモリーカード２を取り出す場合には、図５に示す状態から、再度第２のメモリーカード２をプッシュ操作するだけでよい。このように、プッシュ・プッシュの操作を繰り返すことにより、プッシュ−イン、プッシュ−アウトの動作を繰り返すことができる。
【００７２】
以上説明したように、本発明によれば、複数のメモリーカードを選択的に収納することができるようにした。そして、第１のメモリーカードをカード収納部に装着したときには、第２のメモリーカードを装着することができず、第２のメモリーカードを装着したときには、第１のメモリーカードを装着できないように構成した。そのため、本発明では、コネクタ筐体のカード収納部内に、第１及び第２のスライド部材と、複数の接続端子と端子切換板とを設けたことから、高さが低く、ユーザーによる使い勝手の良いメモリーカードコネクタを提供することができる。さらに、メモリーカードコネクタを搭載する電子機器の小型化・薄型化に貢献できるメモリーカードコネクタを提供することができる。
【００７３】
本発明は、前述しかつ図面に示した実施の形態に限定されるものではなく、その要旨を逸脱しない範囲内で種々の変形実施が可能である。例えば、前記実施例では、２種類のメモリーカードを使用可能なメモリーカードコネクタについて説明したが、３種類或いはそれ以上の種類のメモリーカードを使用可能なメモリーカードコネクタとして構成することができることは勿論である。また、前記実施例では、端子切換板を第２のスライド部材と一体に構成した例について説明したが、端子切換板は第１のスライド部材に固定して設ける構成とすることもできる。更に、前記実施例においては、ガイド部材のロック部で第２のスライド部材の動きを規制する構成とした例について説明したが、ガイド部材のロック部で第１のスライド部材の動きを規制する構成としてもよいことは勿論である。
【図面の簡単な説明】
【００７４】
【図１】本発明のメモリーカードコネクタの第１の実施の例を示すもので、カバープレートを取り除いた状態の斜視図である。
【図２】本発明のメモリーカードコネクタの第１の実施の例を示す斜視図である。
【図３】本発明のメモリーカードコネクタの第１の実施の例を示すもので、メモリーカードを挿入する前の状態を説明する平面図である。
【図４】本発明のメモリーカードコネクタの第１の実施の例を示すもので、第１のメモリーカードを挿入した状態を説明する平面図である。
【図５】本発明のメモリーカードコネクタの第１の実施の例を示すもので、第２のメモリーカードを挿入した状態を説明する平面図である。
【図６】本発明のメモリーカードコネクタの第２のスライド部材と端子切換板を説明する斜視図である。
【図７】本発明のメモリーカードコネクタの第１の実施の例を示す正面図である。
【図８】本発明のメモリーカードコネクタの第１の実施の例を示す図３のＸ−Ｘ線部分における、第１のメモリーカードを挿入した状態の断面図である。
【図９】本発明のメモリーカードコネクタの第１の実施の例を示す図３のＸ−Ｘ線部分における、第２のメモリーカードを挿入した状態の断面図である。
【図１０】本発明のメモリーカードコネクタの第１の実施の例を示す図３のＷ−Ｗ線部分における断面図であり、図１０Ａは第１のメモリーカードが挿入されるロック時の状態、図１０Ｂは第２のメモリーカードが挿入されるロック解除時の状態のそれぞれ説明図である。
【図１１】本発明のメモリーカードコネクタの第１の実施の例を示す図６のＹ−Ｙ線部分及びＺ−Ｚ線部分における、第１のメモリーカードが挿入される時の状態の説明図である。
【図１２】本発明のメモリーカードコネクタの第１の実施の例を示す図６のＹ−Ｙ線部分及びＺ−Ｚ線部分における、第２のメモリーカードが挿入される時の状態の説明図である。
【図１３】本発明のメモリーカードコネクタに第１のメモリーカードと第２のメモリーカードを選択的に挿入する状態の説明図である。
【図１４】本発明のメモリーカードコネクタに使用される第１のメモリーカードの一実施例を示す平面図である。
【図１５】本発明のメモリーカードコネクタに使用される第２のメモリーカードの一実施例を示す平面図である。
【符号の説明】
【００７５】
１…第１のメモリーカード、  ２…第２のメモリーカード、  ５，１０…端子接点部、  ６，１１…斜面部、  ２０…メモリーカードコネクタ、  ２１…ハウジング、  ２２…カバープレート、  ２３…第１のスライド部材、  ２４…第２のスライド部材、  ２５…端子切換板、  ２６…ガイド部材、  ２７…第１の位置規制部、  ２８…第２の位置規制部、  ２９…コネクタ筐体、  ３０…カード収納部、  ３０ａ…出入口、  ３１，３２…前端部、  ３１ａ，３２ａ…下段部、  ３３…第１のリターンばね、  ３４…第２のリターンばね、  ３５…ストッパ部、  ３５ｂ，３８ｂ…前面、  ３７，４９…段部、  ３８…ガイド部、  ４１，４５…ガイドピン、  ４２，４６…循環形カム溝、  ４３，４７…弾性片、  ５１，５２…端子用穴、  ５３，５４…接続端子、  ６１…カード支持部、  ６１ａ…衝立片、  ６２…ロック部、  ６３…アーム部、  ６５…ロック穴、  ６６…昇降空間部、  ６７…コイルばね（付勢部材）、  ６８…底蓋、  ７０…電子機器
【図１】
2010044926.tif 000003
【図２】
2010044926.tif 000004
【図３】
2010044926.tif 000005
【図４】
2010044926.tif 000006
【図５】
2010044926.tif 000007
【図６】
2010044926.tif 000008
【図７】
2010044926.tif 000009
【図８】
2010044926.tif 000010
【図９】
2010044926.tif 000011
【図１０】
2010044926.tif 000012
【図１１】
2010044926.tif 000013
【図１２】
2010044926.tif 000014
【図１３】
2010044926.tif 000015
【図１４】
2010044926.tif 000016
【図１５】
2010044926.tif 000017